(57)【要約】【課題】音声情報が上書きによって記録される音声メッセージ伝達シートにおいて、予め記録された音声情報が使用前に誤って消去されてしまうことを回避する。【解決手段】音声情報が記録されるＩＣ基板３２に予めプレ音声が記録されており、音声情報をＩＣ基板３２に記録するための配線パターン３７ｃに切断部分３８が設けられ、音声メッセージ伝達シート１を折り畳んだ場合にのみ切断部分３８が導通する構成とする。【選択図】図１
2011131545.tif 000002
【特許請求の範囲】
【請求項１】
音声情報が記録される回路部と、前記回路部に記録される音声情報が入力されるとともに前記回路部に記録された音声情報が出力される音声情報入出力手段と、前記音声情報入出力手段を介して入力された音声情報を前記回路部に記録する際に操作される録音用スイッチと、前記回路部に記録された音声情報を前記音声情報入出力手段を介して出力する際に操作される再生用スイッチと、一端が前記回路部の第１のポート端子に接続され、前記録音用スイッチに対向する領域まで延びて開放された第１の配線と、一端が前記回路部の第２のポート端子に接続され、前記録音用スイッチに対向する領域まで延びて開放された第２の配線とを有する音声情報記録／再生手段が、保護用シートに積層されて構成され、前記録音用スイッチが操作されると前記録音用スイッチによって前記第１の配線と前記第２の配線とが導通して該第１の配線と第２の配線を介して前記第１のポート端子と前記第２のポート端子とが導通することにより、前記音声情報入出力手段を介して入力された音声情報が前記回路部に記録された音声情報に上書きするように記録される音声メッセージ伝達シートにおいて、
前記回路部には、予めプレ音声が記録されており、
前記第１の配線は、前記一端と前記録音用スイッチに対向する開放端部との間に切断部分を有し、
前記第１の配線の前記切断部分を介して前記一端側と前記開放端部側のそれぞれの少なくとも一部が表出可能となっている音声メッセージ伝達シート。
【発明の詳細な説明】
【技術分野】
【０００１】
本発明は、音声情報の記録及び再生が可能な音声メッセージ伝達シートに関し、特に、予め記録された音声情報の保護技術に関する。
【背景技術】
【０００２】
従来より、ダイレクトメールやグリーティングカード等の送付物においては、発送元において、発送される送付物が作成されるとともに送付物の発送先が指定され、その後、作成された送付物が指定された発送先に送付されている。このように作成、発送される送付物は、発送元から発送先に通知したい情報が掲載された印刷物が封筒に封入されて構成されるものや、発送元から発送先に通知したい情報がはがき等のシートに印刷されて構成されるもの等がある。送付物の発送先においては、送付されてきた送付物が受け取られた後、送付物に印刷された情報が閲覧されることにより、送付物の発送元にて通知したい情報が認識されることになる。
【０００３】
ところが、このように、送付物の発送元にて発送先に通知したい情報が印刷された送付物が発送元から送付され、送付物の発送先において送付されてきた送付物に印刷された情報が閲覧されることにより、送付物の発送元にて通知したい情報が発送先に伝達されるものにおいては、送付物の発送元における所望のメッセージを、視覚的にしか発送先に伝達することができず、それにより、伝達可能な情報の種類が限定されてしまう。
【０００４】
そこで、音声情報の記録及び再生が可能に構成された音声カードが考えられている（例えば、特許文献１参照。）。
【０００５】
このような音声カードは、例えば、音声情報が記録される回路部と、回路部に対する音声情報の記録あるいは再生を行なうための記録・再生部とが２枚のカード基材に挟まれ、このカード基材に、音声情報を記録・再生部を介して入力する際に押下される録音ボタンと、回路部に記録された音声情報を記録・再生部を介して出力する際に押下される再生ボタンとが設けられて構成されている。回路部は配線基板上に搭載されており、この配線基板上には回路部に接続された導電パターンが形成されている。そして、録音ボタン及び再生ボタンはそれぞれ、配線基板に形成された導電パターンの所定の領域と対向する位置に設けられ、録音ボタンと導電パターンとが導通することにより音声情報が記録され、また、再生ボタンと導電パターンとが導通することにより音声情報が再生されることになる。
【０００６】
ここで、このように音声情報を記録可能に構成された音声カードに対する音声情報の記録は、記録・再生部を介して入力された音声情報を、回路部に記録された音声情報に上書きするように行われる。そのため、回路部に音声情報が記録された後に録音ボタンが誤って押下された場合、既に回路部に記録されている音声情報が消去されてしまうことになる。そこで、上述した特許文献１には、録音ボタン及びそれに対向する配線基板を容易に切り離すことができるような構成としておき、音声情報の記録後に録音ボタン及びそれに対向する配線基板を切り離すことにより、録音ボタンの誤操作によって音声情報が消去されてしまうことを回避する技術が記載されている。
【先行技術文献】
【特許文献】
【０００７】
【特許文献１】特公平３−４５４３３号公報
【発明の概要】
【発明が解決しようとする課題】
【０００８】
上述した音声カードのような音声メッセージ伝達シートにおいては、その使用方法を音声情報として予め記録しておくこともできる。また、近年では、広告情報を音声情報として予め記録しておき、音声メッセージ伝達シートの使用者に、音声情報を記録する前にその使用方法や広告情報を音声情報として提供することが考えられている。
【０００９】
ところが、上述したように、既に記録されている音声情報に上書きするように音声情報が記録される場合、特許文献１に記載されたような技術を用いても、使用者が音声メッセージ伝達シートに音声情報を記録するまでは、音声情報の記録が可能な状態、すなわち、既に記録された音声情報が上書きによって消去可能な状態となっているため、音声メッセージ伝達シートに予め記録された音声メッセージ伝達シートの使用方法や広告情報を使用者が聞く前に録音ボタンが誤って押下されてしまうと、これらの情報が使用者に聞かれる前に消去されてしまうという問題点がある。
【００１０】
本発明は、上述したような従来の技術が有する問題点に鑑みてなされたものであって、音声情報が上書きによって記録される音声メッセージ伝達シートにおいて、予め記録された音声情報が使用前に誤って消去されてしまうことを回避することができる音声メッセージ伝達シートを提供することを目的とする。
【課題を解決するための手段】
【００１１】
上記目的を達成するために本発明は、
音声情報が記録される回路部と、前記回路部に記録される音声情報が入力されるとともに前記回路部に記録された音声情報が出力される音声情報入出力手段と、前記音声情報入出力手段を介して入力された音声情報を前記回路部に記録する際に操作される録音用スイッチと、前記回路部に記録された音声情報を前記音声情報入出力手段を介して出力する際に操作される再生用スイッチと、一端が前記回路部の第１のポート端子に接続され、前記録音用スイッチに対向する領域まで延びて開放された第１の配線と、一端が前記回路部の第２のポート端子に接続され、前記録音用スイッチに対向する領域まで延びて開放された第２の配線とを有する音声情報記録／再生手段が、保護用シートに積層されて構成され、前記録音用スイッチが操作されると前記録音用スイッチによって前記第１の配線と前記第２の配線とが導通して該第１の配線と第２の配線を介して前記第１のポート端子と前記第２のポート端子とが導通することにより、前記音声情報入出力手段を介して入力された音声情報が前記回路部に記録された音声情報に上書きするように記録される音声メッセージ伝達シートにおいて、
前記回路部には、予めプレ音声が記録されており、
前記第１の配線は、前記一端と前記録音用スイッチに対向する開放端部との間に切断部分を有し、
前記第１の配線の前記切断部分を介して前記一端側と前記開放端部側のそれぞれの少なくとも一部が表出可能となっている。
【００１２】
上記のように構成された本発明においては、録音用ボタンが操作されると、音声情報が記録された回路部の第１のポート端子に一端が接続され、録音用スイッチに対向する領域まで延びて開放された第１の配線と、一端が回路部の第２のポート端子に接続され、録音用スイッチに対向する領域まで延びて開放された第２の配線とが導通することにより、第１の配線と第２の配線を介して回路部の第１のポート端子と第２のポート端子とが導通し、それにより、音声情報入出力手段を介して入力された音声情報が回路部に記録された音声情報に上書きするように記録される。その後、再生用スイッチが操作されると、回路部に記録された音声情報が音声情報入出力手段を介して出力されることになる。ここで、回路部には予めプレ音声が記録されているが、このプレ音声が再生される前に録音用ボタンが誤って操作されてしまうと、上記のように回路部の第１のポート端子と第２のポート端子とが導通し、回路部に記録されたプレ音声が上書きによって消去されてしまう。ところが、第１の配線には、その一端と録音用スイッチに対向する開放端部との間に切断部分が設けられているため、録音用ボタンが操作されただけでは、回路部の第１のポート端子と第２のポート端子とが導通することがない。回路部に音声情報を記録する場合は、第１の配線の切断部分を介して一端側と開放端部側のそれぞれの少なくとも一部が表出可能となっているので、これら一端側と開放端部側のそれぞれの少なくとも一部を表出させ、一端側と開放端部側の表出した部分に導電材料からなる導通手段を接触させる。すると、導通手段によって第１の配線の一端側と開放端部側とが導通し、この状態で録音用ボタンが操作されると、第１の配線と第２の配線とが導通することによって回路部の第１のポート端子と第２のポート端子とが導通し、それにより、音声情報入出力手段を介して入力された音声情報が回路部に記録された音声情報に上書きするように記録される。
【００１３】
このように、回路部に音声情報を記録するための第１の配線のうち切断部分によって断線した一端側と開放端部側の表出した部分に導電材料からなる導通手段を接触させた状態にて録音用ボタンが操作された場合にのみ、音声情報入出力手段を介して入力された音声情報が回路部に記録された音声情報に上書きするように記録されるので、音声情報が上書きによって記録される音声メッセージ伝達シートにおいて、予め記録された音声情報が使用前に誤って消去されてしまうことが回避される。
【発明の効果】
【００１４】
以上説明したように本発明においては、回路部に音声情報を記録するための第１の配線のうち切断部分によって断線した一端側と開放端部側の表出した部分に導電材料からなる導通手段を接触させた状態にて録音用ボタンが操作された場合にのみ、音声情報入出力手段を介して入力された音声情報が回路部に記録された音声情報に上書きするように記録されるため、音声情報が上書きによって記録される音声メッセージ伝達シートにおいて、予め記録された音声情報が使用前に誤って消去されてしまうことを回避することができる。
【図面の簡単な説明】
【００１５】
【図１】本発明の音声メッセージ伝達シートの実施の一形態を示す図であり、（ａ）は表面から見た図、（ｂ）は内部構造を示す図、（ｃ）は（ａ）に示したＡ−Ａ’断面図である。
【図２】図１に示した音声メッセージ伝達シートの積層状態を示す図である。
【図３】図１及び図２に示した支持シートと音声情報記録／再生部とを積層した状態を示す図である。
【図４】図１に示したスイッチの操作による音声メッセージ伝達シートの動作を説明するための図であり、（ａ）はフィルム基板上の詳細な構成を示す図、（ｂ）はスイッチが押下されていない状態におけるスイッチ及びフィルム基板の断面図、（ｃ）はスイッチが押下された状態におけるスイッチ及びフィルム基板の断面図、（ｄ）はスイッチが押下されていない状態における等価回路図、（ｅ）はスイッチが押下された状態における等価回路図、（ｆ）は配線パターンの切断部分が導通した状態にてスイッチが押下された状態における等価回路図である。
【図５】図１に示した音声メッセージ伝達シートにおいて切断部分を導通させる方法を説明するための図であり、（ａ）〜（ｃ）は外観図、（ｄ）は突出部を折り畳んだ状態における積層図、（ｅ）は突出部を折り畳んだ状態におけるフィルム基板を示す図である。
【図６】図１に示した音声メッセージ伝達シートの突出部が切断された状態における動作を説明するための図であり、（ａ）はフィルム基板上の詳細な構成を示す図、（ｂ）はスイッチが押下された状態における等価回路図である。
【発明を実施するための形態】
【００１６】
以下に、本発明の実施の形態について図面を参照して説明する。
【００１７】
図１は、本発明の音声メッセージ伝達シートの実施の一形態を示す図であり、（ａ）は表面から見た図、（ｂ）は内部構造を示す図、（ｃ）は（ａ）に示したＡ−Ａ’断面図である。また、図２は、図１に示した音声メッセージ伝達シート１の積層状態を示す図である。
【００１８】
本形態は図１及び図２に示すように、音声情報の記録や再生が可能なシート状の音声情報記録／再生部３０が、紙基材等の柔軟性を有し、かつ薄型の基材からなる２枚の支持シート２０ａ，２０ｂに挟み込まれ、また、音声情報記録／再生部３０を挟み込んだ支持シート２０ａ，２０ｂが、その外形が支持シート２０ａ，２０ｂと同一形状であって、紙基材等の柔軟性を有し、かつ薄型の基材からなる２枚の表面シート１０ａ，１０ｂに挟み込まれて構成されている。なお、表面シート１０ａ，１０ｂ、支持シート２０ａ，２０ｂ及び音声情報記録／再生部３０は、支持シート２０ａ，２０ｂの表裏に施された粘着加工によって互いに貼着されている。これにより、表面シート１０ａ，１０ｂ及び支持シート２０ａ，２０ｂが保護用シートとなって音声情報記録／再生部３０に積層された構成となっている。また、表面シート１０ａ，１０ｂ、支持シート２０ａ，２０ｂ及び音声情報記録／再生部３０は、この音声メッセージ伝達シート１を廃棄する際に他の領域から切り離される突出部３が他の領域から突出して設けられている。
【００１９】
音声情報記録／再生部３０は、ピエゾ素子４１、振動板４２及びフィルムシート（不図示）からシート状に構成されて音声情報を入出力するための音声情報入出力手段である音声情報入出力部４０と、音声情報入出力部４０を介して入力された音声情報が記録されるＩＣチップを具備する回路部であるＩＣ基板３２と、ＩＣ基板３２に記録された音声情報を音声情報入出力部４０を介して出力する際に操作される薄型の再生用スイッチ３３と、音声情報入出力部４０を介して入力された音声情報をＩＣ基板３２に記録する際に操作される薄型の録音用スイッチ３４と、ＩＣ基板３２に接続され、ＩＣ基板３２に電源を供給するための薄型のコイン電池３１とから構成されている。なお、ＩＣ基板３２と、コイン電池３１及びピエゾ素子４１とはそれぞれ、はんだ溶接されたリード線を介して互いに電気的に接続されている。また、スイッチ３３，３４は、フィルム基板３５，３６上に搭載され、このフィルム基板３５，３６上に形成された配線パターン３７ａ〜３７ｄとＩＣ基板３２とについても、はんだ溶接されたリード線を介して互いに電気的に接続されている。ＩＣ基板３２内のＩＣチップは、音声情報入出力部４０を介して入力された音声情報をメモリ領域に記録し、また、メモリ領域に記録された音声情報を音声情報入出力部４０を介して出力する制御を行うものであって、コイン電池３１によって電源が供給されるポート端子や、グランド電位に接続されたポート端子や、メモリ領域に記録された音声情報を音声情報入出力部４０に出力するためのポート端子や、メモリ領域に記録された音声情報を音声情報入出力部４０を介して出力するための指示信号が入力されるポート端子や、音声情報入出力部４０を介して入力された音声情報をメモリ領域に記録するためのポート端子や、音声情報入出力部４０を介して入力された音声情報をメモリ領域に記録するための指示信号が入力されるポート端子等を有し、このうち、メモリ領域に記録された音声情報を音声情報入出力部４０を介して出力するための指示信号が入力されるポート端子がグランド電位となった場合、メモリ領域に記録された音声情報を音声情報入出力部４０を介して出力し、また、音声情報入出力部４０を介して入力された音声情報をメモリ領域に記録するための指示信号が入力されるポート端子がグランド電位となった場合、その後に音声情報入出力部４０を介して入力された音声情報をメモリ領域に記録する。フィルム基板３６上に形成された配線パターン３７ｃ，３７ｄは、第１の配線となる配線パターン３７ｃが、その一端が、ＩＣ基板３２内のＩＣチップのポート端子のうち、音声情報入出力部４０を介して入力された音声情報をメモリ領域に記録するための指示信号が入力される第１のポート端子に接続され、スイッチ３４に対向する領域まで延びて開放端部となって開放されており、また、第２の配線となる配線パターン３７ｄが、その一端が、コイン電池３１のグランド電位に接続された第２のポート端子に接続され、スイッチ３４に対向する領域まで延びて開放端部となって開放されている。すなわち、配線パターン３７ｄは、音声情報入出力部４０を介して入力された音声情報をメモリ領域に記録するための指示信号の発生源となるコイン電池３１のグランド電位にＩＣ基板３２を介して接続されていることになる。また、フィルム基板３６は、突出部３にも延びるように設けられており、配線パターン３７ｃは、ＩＣ基板３２のポート端子に接続された一端から突出部３まで延び、突出部３の先端部分にて折り返してスイッチ３４と対向する領域まで延びて開放されているが、突出部３にて断線した切断部分３８を有している。すなわち、配線パターン３７ｃは、ＩＣ基板３２のポート端子に接続された一端とスイッチ３４と対向する開放端部との間に切断部分３８を有していることとなる。これにより、配線パターン３７ｃは、ＩＣ基板３２のポート端子に接続された一端とスイッチ３４と対向する開放端部との間にて断線した状態となっている。また、ＩＣ基板３２には、この音声メッセージ伝達シート１の使用方法や広告情報がプレ音声として予め記録されている。
【００２０】
表面シート１０ａには、スイッチ３３と対向する領域に、スイッチ３３を示す再生ボタン１２が印刷され、また、スイッチ３４と対向する領域に、スイッチ３４を示す録音ボタン１３が印刷されている。また、音声情報入出力部４０と対向する領域に、音声情報入出力部４０を介して音声を入力したり、音声情報入出力部４０から出力された音声を外部に出力したりするための微細な穴が羅列されてなる音声入出力領域１４ａが形成されている。このように微細な穴が羅列されてなる音声入出力領域１４ａが形成されているため、音声情報入出力部４０がその表裏を表面シート１０ａ，１０ｂで覆われた状態であっても、音声情報入出力部４０から出力される音量の低下を補うことができる。なお、音声入出力領域１４ａにおいては、例えば、レーザ加工によって、０．１ｍｍ径の穴が縦横２．０ｍｍ間隔で形成されている。そのため、抜き加工や針等によって穴を形成する場合と比べてバリが発生せず、その後そのバリによって穴が塞がれてしまうことはない。また、表面シート１０ａには、この音声メッセージ伝達シート１を用いて視覚的に通知すべき情報を印刷あるいは記入するための情報表示領域１１が設けられている。また、再生ボタン１２や録音ボタン１３においては、印刷によって表面シート１０ａ上に設けておかず、情報表示領域１１に情報が印刷された後に、スイッチ３３，３４に対向する領域にシールを貼付することによって設けることも考えられる。また、突出部３を切り離すためのミシン目３ａが形成されている。
【００２１】
支持シート２０ａは、音声情報記録／再生部３０と積層された場合に、音声情報入出力部４０に対向する領域に穴部２１が形成され、また、コイン電池３１、ＩＣ基板３２、スイッチ３３，３４及びフィルム基板３５，３６に対向する領域に穴部２２が形成されている。また、突出部３を切り離すためのミシン目３ｂが形成されている。また、突出部３においては、音声情報記録／再生部３０が積層される面に剥離紙（不図示）が剥離可能に貼着されている。支持シート２０ａは、上述したようにその表面に粘着加工が施されており、この粘着加工によって剥離紙が剥離可能に貼着されている。
【００２２】
支持シート２０ｂは、音声情報記録／再生部３０と積層された場合に、音声情報入出力部４０に対向する領域に穴部２４が形成され、また、コイン電池３１に対向する領域に穴部２５が形成され、また、ＩＣ基板３２に対向する領域に穴部２６が形成されている。また、突出部３においては、音声情報記録／再生部３０が積層される面に剥離紙２０ｃが剥離可能に貼着されているとともに、突出部３の突出方向中央部に、音声情報記録／再生部３０が積層される面とは反対側の面からハーフカット２７が折り線として形成されている。支持シート２０ｂは、上述したようにその表面に粘着加工が施されており、この粘着加工によって剥離紙２０ｃが剥離可能に貼着されている。
【００２３】
このように、支持シート２０ａの、音声情報入出力部４０、コイン電池３１、ＩＣ基板３２、スイッチ３３，３４及びフィルム基板３５，３６と対向する領域に穴部２１，２２がそれぞれ形成され、また、支持シート２０ｂの、音声情報入出力部４０、コイン電池３１及びＩＣ基板３２と対向する領域に穴２４〜２６がそれぞれ形成されることにより、コイン電池３１、ＩＣ基板３２、スイッチ３３，３４及び音声情報入出力部４０が設けられている領域と他の領域とで厚さの差が小さくなり、それにより、表面シート１０ａ，１０ｂの平坦性が向上し、表面シート１０ａ，１０ｂ上に情報を容易に印刷することができるようになる。さらには、音声情報記録／再生部３０の最も厚い部分の厚さに対して、支持シート２０ａ，２０ｂの厚さを合計した厚さを同等、若しくは厚くすることにより、表面シート１０ａ，１０ｂをほぼ平坦な状態とすることができる。
【００２４】
表面シート１０ｂには、音声情報入出力部４０と対向する領域に、音声情報入出力部４０を介して音声を入力したり、音声情報入出力部４０から出力された音声を外部に出力したりするための微細な穴が羅列されてなる音声入出力領域１４ｂが形成されている。この音声入出力領域１４ｂの構成は、表面シート１０ａに形成された音声入出力領域１４ａの構成と同様である。
【００２５】
図３は、図１及び図２に示した支持シート２０ａ，２０ｂと音声情報記録／再生部３０とを積層した状態を示す図であり、（ａ）は支持シート２０ａと音声情報記録／再生部３０とを積層した状態を示す図、（ｂ）は支持シート２０ｂと音声情報記録／再生部３０とを積層した状態を示す図である。
【００２６】
図３（ａ）に示すように、支持シート２０ａの音声情報入出力部４０と対向する領域に形成された穴部２１は音声情報入出力部４０の外形とほぼ等しく、また、コイン電池３１、ＩＣ基板３２、スイッチ３３，３４及びフィルム基板３５，３６と対向する領域に形成された穴部２２は、これらコイン電池３１、ＩＣ基板３２、スイッチ３３，３４及びフィルム基板３５とフィルム基板３６の一部を含む大きさとなっている。
【００２７】
また、図３（ｂ）に示すように、支持シート２０ｂの音声情報入出力部４０と対向する領域に形成された穴部２４は音声情報入出力部４０よりも小さく、また、コイン電池３１と対向する領域に形成された穴部２５はコイン電池３１よりも大きく、また、ＩＣ基板３２と対向する領域に形成された穴部２６はＩＣ基板３２よりも大きくなっている。
【００２８】
以下に、上記のように構成された音声メッセージ伝達シート１の使用方法について説明する。
【００２９】
まず、録音ボタン１３を介してスイッチ３４が押下された場合の動作について説明する。
【００３０】
図４は、図１に示したスイッチ３４の操作による音声メッセージ伝達シート１の動作を説明するための図であり、（ａ）はフィルム基板３６上の詳細な構成を示す図、（ｂ）はスイッチ３４が押下されていない状態におけるスイッチ３４及びフィルム基板３６の断面図、（ｃ）はスイッチ３４が押下された状態におけるスイッチ３４及びフィルム基板３６の断面図、（ｄ）はスイッチ３４が押下されていない状態における等価回路図、（ｅ）はスイッチ３４が押下された状態における等価回路図、（ｆ）は配線パターン３７ｃの切断部分３８が導通した状態にてスイッチ３４が押下された状態における等価回路図である。
【００３１】
図４（ａ）に示すように、フィルム基板３６には、リード線を介してＩＣ基板３２に接続された２つの配線パターン３７ｃ，３７ｄが形成されている。この２つの配線パターン３７ｃ，３７ｄはそれぞれ櫛状となっており、櫛の歯の部分が互い違いに対向するように形成されている。配線パターン３７ｃ，３７ｄのうち一方の配線パターン３７ｃは、その一端が、ＩＣ基板３２内のＩＣチップのポート端子のうち、音声情報入出力部４０を介して入力された音声情報をメモリ領域に記録するための指示信号が入力されるポート端子に接続され、突出部３の先端部分にて折り返してスイッチ３４に対向する領域まで延びて櫛状となって開放されており、また、他方の配線パターン３７ｄは、その一端が、コイン電池３１のグランド電位に接続されたポート端子に接続され、スイッチ３４に対向する領域まで延びて櫛状となって開放されている。また、配線パターン３７ｃは、突出部３において断線した切断部分３８を有している。
【００３２】
スイッチ３４が押下されていない状態においては、図４（ｂ）に示すように、スイッチ３４が２つの配線パターン３７ｃ，３７ｄに接しておらず、それにより、図４（ｄ）に示すように、ＩＣ基板３２内のＩＣチップのポート端子のうち、配線パターン３７ｃに接続され、音声情報入出力部４０を介して入力された音声情報をメモリ領域に記録するための指示信号が入力されるポート端子はオープン状態となっている。そのため、この状態で音声情報入出力部４０を介して音声情報が入力されてもその音声情報はＩＣ基板３２に記録されない。
【００３３】
スイッチ３４が押下されると、図４（ｃ）に示すように、スイッチ３４がフィルム基板３６の表面に沿うように変形し、それにより、スイッチ３４の裏面に塗布された導電剤３４ａを介して２つの配線パターン３７ｃ，３７ｄが電気的に接続された状態となる。ところが、図４（ｅ）に示すように、配線パターン３７ｃには切断部分３８が設けられており、この切断部分３８を介して配線パターン３７ｃのＩＣ基板３４と接続された一端側とスイッチ３４に対向する開放端部側とが導通していないため、この状態では、配線パターン３７ｃと接続されたポート端子、すなわち、音声情報入出力部４０を介して入力された音声情報をメモリ領域に記録するための指示信号が入力されるポート端子と、配線パターン３７ｄに接続されたポート端子、すなわち、コイン電池３１のグランド電位に接続されたポート端子とが導通しない。そのため、この状態で音声情報入出力部４０を介して音声情報が入力されてもその音声情報はＩＣ基板３２に記録されない。
【００３４】
そこで、配線パターン３７ｃの切断部分３８を導通させた状態でスイッチ３４を押下すれば、配線パターン３７ｃの切断部分３８を介してＩＣ基板３４と接続された一端側とスイッチ３４に対向する開放端部側とが導通した状態で配線パターン３７ｃ，３７ｄが電気的に導通し、図４（ｆ）に示すように、配線パターン３７ｃと接続されたポート端子、すなわち、音声情報入出力部４０を介して入力された音声情報をメモリ領域に記録するための指示信号が入力されるポート端子と、配線パターン３７ｄに接続されたポート端子、すなわち、コイン電池３１のグランド電位に接続されたポート端子とが導通し、音声情報入出力部４０を介して入力された音声情報をメモリ領域に記録するための指示信号が入力されるポート端子がコイン電池３１による電源３１ａのグランド電位となり、その状態において、音声情報入出力部４０を介して音声情報を入力すると、入力された音声情報がＩＣ基板３２に記録されることになる。
【００３５】
次に、図１に示した音声メッセージ伝達シート１において切断部分３８を導通させる方法について説明する。
【００３６】
図５は、図１に示した音声メッセージ伝達シート１において切断部分３８を導通させる方法を説明するための図であり、（ａ）〜（ｃ）は外観図、（ｄ）は突出部３を折り畳んだ状態における積層図、（ｅ）は突出部３を折り畳んだ状態におけるフィルム基板３６を示す図である。
【００３７】
図１に示した音声メッセージ伝達シート１に音声情報を記録する場合は、まず、表面シート１０ａに形成されたミシン目３ａ及び支持シート２０ａに形成されたミシン目３ｂを破断し、表面シート１０ａ及び支持シート２０ａの突出部３となる領域を切り離す。この際、支持シート２０ａ，２０ｂは、表裏に施された粘着加工によって音声情報記録／再生部３０を挟んで互いに貼着されているものの、突出部３においては、音声情報記録／再生部３０が積層される面に剥離紙２０ｃが剥離可能に貼着されているため、支持シート２０ａの突出部３となる領域を切り離した場合、表面シート１０ａ及び支持シート２０ａの突出部３となる領域を音声メッセージ伝達シート１から取り除くことができる。すると、図５（ａ）に示すように、突出部３においてフィルム基板３６が表出する。それにより、フィルム基板３６上に形成された配線パターン３７ｃの切断部分３８を介してＩＣ基板３４と接続された一端側とスイッチ３４に対向する開放端部側のそれぞれの一部が表出する。このように、図１に示した音声メッセージ伝達シート１は、表面シート１０ａ，１０ｂ、支持シート２０ａ，２０ｂ及び音声情報記録／再生部３０が、支持シート２０ａ，２０ｂの表裏に施された粘着加工によって互いに貼着されているものの、支持シート２０ａ，２０ｂには、互いに対向する面のうち突出部３となる領域に剥離紙が貼着されているため、フィルム基板３６上に形成された配線パターン３７ｃの切断部分３８を介してＩＣ基板３４と接続された一端側とスイッチ３４に対向する開放端部側のそれぞれの一部が表出可能となっている。
【００３８】
次に、突出部３において、支持シート２０ｂから剥離紙２０ｃを剥離する。すると、図５（ｂ）に示すように、突出部３において支持シート２０ｂが表出する。支持シート２０ｂは、上述したように音声情報記録／再生部３０が積層される面に粘着加工が施されているため、この粘着加工が表出する。
【００３９】
次に、図５（ｃ）に示すように、表面シート１０ｂと支持シート２０ｂの突出部３を突出部３の突出方向中央部を中心としてフィルム基板３６とともにフィルム基板３６が内側となるように折り畳む。この際、支持シート２０ｂには、上述したように突出部３の突出方向中央部にハーフカット２７が形成されているため、図５（ｄ）に示すように、表面シート１０ｂと支持シート２０ｂの突出部３を突出部３の突出方向中央部を中心としてフィルム基板３６とともに折り畳むことができる。
【００４０】
すると、図５（ｅ）に示すように、配線パターン３７ｃのハーフカット２７による折り線を介して突出部３の先端側が導通手段となって、配線パターン３７ｃの切断部分３８を介してＩＣ基板３４と接続された一端側とスイッチ３４に対向する開放端部側のそれぞれと接触、導通して、配線パターン３７ｃの切断部分３８を介してＩＣ基板３４と接続された一端側とスイッチ３４に対向する開放端部側とが導通する。それにより、この状態でスイッチ３４を押下すれば、音声情報入出力部４０を介して入力された音声情報をメモリ領域に記録するための指示信号が入力されるポート端子がコイン電池３１による電源３１ａのグランド電位となり、音声情報入出力部４０を介して音声情報を入力すると、入力された音声情報がＩＣ基板３２に記録されることになる。この際、支持シート２０ｂの折り畳まれた領域には粘着加工が表出しているため、この粘着加工によって支持シート２０ｂの折り畳まれた部分が互いに貼着されることにより、表面シート１０ｂ、支持シート２０ｂ及びフィルム基板３６を折り畳んだ状態を維持することができる。
【００４１】
このように、ＩＣ基板３２に音声情報を記録するための配線パターン３７ｃのうち切断部分３８を介してＩＣ基板３４と接続された一端側とスイッチ３４に対向する開放端部側の一部を表出させ、音声メッセージ伝達シート１を突出部３の折り線となる領域にて折り畳むことによって配線パターン３７ｃのＩＣ基板３４と接続された一端側とスイッチ３４に対向する開放端部側とを導通させた状態にて録音ボタン１３を介してスイッチ３４が押下された場合にのみ、音声情報入出力部４０を介して入力された音声情報がＩＣ基板３２に記録されるので、音声情報入出力部４０を介して入力された音声情報がＩＣ基板３２に記録された音声情報に上書きするように記録されるものであっても、音声メッセージ伝達シート１が使用される前に、例えば、音声メッセージ伝達シート１の出荷、配送途中において、録音ボタン１３を介してスイッチ３４が押下された場合に、予め記録された音声情報が使用前に誤って消去されてしまうことが回避される。これにより、音声メッセージ伝達シート１の使用方法や広告情報を音声情報としてＩＣ基板３２に予め記録しておき、音声メッセージ伝達シート１の使用者に、音声情報を記録する前にその使用方法や広告情報を音声情報として提供する場合、これらの情報は使用者の上述したような操作が行われない限り消去されないので、音声メッセージ伝達シート１の使用者が音声情報を記録する前に再生ボタン１２を介してスイッチ３３を押下すれば、ＩＣ基板３２に予め記録された音声メッセージ伝達シート１の使用方法や広告情報等の音声情報が、音声メッセージ伝達シート１の使用者に確実に提供されることになる。
【００４２】
上述したようにしてＩＣ基板３２のメモリ領域に音声情報が記録された後、録音ボタン１３が誤って押下された場合、ＩＣ基板３２のメモリ領域に記録された音声情報が上書き動作によって消去されてしまう。そこで、フィルム基板３６の突出部３を表面シート１０ｂ及び支持シート２０ｂとともに切断する。
【００４３】
図６は、図１に示した音声メッセージ伝達シート１の突出部３が切断された状態における動作を説明するための図であり、（ａ）はフィルム基板３６上の詳細な構成を示す図、（ｂ）はスイッチ３４が押下された状態における等価回路図である。
【００４４】
音声メッセージ伝達シート１の突出部３が切断されると、図６（ａ）に示すように、配線パターン３７ｃが断線した状態となる。そのため、この状態で録音ボタン１３を介してスイッチ３４が押下された場合であっても、図６（ｂ）に示すように、配線パターン３７ｃが断線していることにより、ＩＣ基板３２内のＩＣチップのポート端子のうち、配線パターン３７ｃに接続され、音声情報入出力部４０を介して入力された音声情報をメモリ領域に記録するための指示信号が入力されるポート端子はオープン状態のままとなり、この状態で音声情報入出力部４０を介して音声情報が入力されてもその音声情報がＩＣ基板３２に新たに記録されず、ＩＣ基板３２に既に記録された音声情報が上書きによって消去されることがない。
【００４５】
このようにして突出部３が切り離された音声メッセージ伝達シート１は、その送付先に送付されることになる。
【００４６】
音声メッセージ伝達シート１の送付先においては、ＩＣ基板３２のメモリ領域に記録された音声情報を再生する場合、再生ボタン１２を介してスイッチ３３を押下する。すると、上述した音声情報の記録時と同様に、フィルム基板３５に形成された２つの配線パターン３７ａ，３７ｂがスイッチ３３の裏面に塗布された導電剤を介して電気的に接続され、それにより、ＩＣ基板３２内のＩＣチップのポート端子のうち、メモリ領域に記録された音声情報を音声情報入出力部４０を介して出力するための指示信号が入力されるポート端子がコイン電池３１による電源によってグランド電位となり、メモリ領域に記録された音声情報がＩＣ基板３２から出力され、音声情報入出力部４０を介して出力されることになる。
【００４７】
なお、本形態においては、表面シート１０ｂと支持シート２０ｂの突出部３となる領域を突出部３の突出方向中央部を中心としてフィルム基板３６とともにフィルム基板３６が内側となるように折り畳むと、配線パターン３７ｃの突出部３の先端側が導通手段となって、配線パターン３７ｃの切断部分３８を介してＩＣ基板３４と接続された一端側とスイッチ３４に対向する開放端部側のそれぞれと接触、導通し、配線パターン３７ｃの切断部分３８を介してＩＣ基板３４と接続された一端側とスイッチ３４に対向する開放端部側とが導通するものを例に挙げて説明したが、配線パターン３７ｃが、ＩＣ基板３２と接続された一端とスイッチ３４に対向する開放端部との間に切断部分を有し、音声メッセージ伝達シート１が、音声メッセージ伝達シート１を折り畳むための折り線にて折り畳まれた場合に、配線パターン３７ｃの切断部分３８を介してＩＣ基板３２と接続された一端側とスイッチ３４に対向する開放端部側とを導通させるものであれば、導通手段として配線パターン３７ｃの一部を利用したものではなく、導通手段を配線パターン３７ｃとは別途の構成としてもよく、また、導通手段が設けられる領域は突出部３に限らない。また、配線パターン３７ｃの切断部分３８を介してＩＣ基板３４と接続された一端側とスイッチ３４に対向する開放端部側のそれぞれの少なくとも一部が表出可能となっていれば、これら表出した部分に接触させる導通手段として、音声メッセージ伝達シート１の構成要素を用いるのではなく、クリップやはさみ等を用いて配線パターン３７ｃの切断部分３８を介してＩＣ基板３４と接続された一端側とスイッチ３４に対向する開放端部側とを導通させることもできる。また、配線パターン３７ｃの切断部分３８を介してＩＣ基板３４と接続された一端側とスイッチ３４に対向する開放端部側のそれぞれの少なくとも一部が表面シート１０ａ，１０ｂや支持シート２０ａ，２０ｂに挟み込まれておらず、元々表出している構成としてもよい。このように配線パターン３７ｃの切断部分３８を介してＩＣ基板３４と接続された一端側とスイッチ３４に対向する開放端部側のそれぞれの少なくとも一部が元々表出している状態も含めて、本願では表出可能と定義する。
【００４８】
また、本形態においては、音声情報記録／再生部３０が２枚の支持シート２０ａ，２０ｂに挟み込まれ、また、音声情報記録／再生部３０を挟み込んだ支持シート２０ａ，２０ｂが２枚の表面シート１０ａ，１０ｂに挟み込まれることにより、表面シート１０ａ，１０ｂ及び支持シート２０ａ，２０ｂが保護用シートとなって音声情報記録／再生部３０に積層された構成となっているが、音声情報記録／再生部３０に保護用シートとして積層されるものこのような構成に限らず、その数についても表裏２枚ずつとは限らない。
【符号の説明】
【００４９】
１    音声メッセージ伝達シート
３    突出部
３ａ，３ｂ    ミシン目
１０ａ，１０ｂ    表面シート
１１    情報表示領域
１２    再生ボタン
１３    録音ボタン
１４ａ，１４ｂ    音声入出力領域
２０ａ，２０ｂ    支持シート
２０ｃ    剥離紙
２１，２２，２４〜２６    穴部
２７    ハーフカット
３０    音声情報記録／再生部
３１    コイン電池
３１ａ    電源
３２    ＩＣ基板
３３，３４    スイッチ
３４ａ    導電剤
３５，３６    フィルム基板
３７ａ〜３７ｄ    配線パターン
３８    切断部分
４０    音声情報入出力部
４１    ピエゾ素子
４２    振動板
【図１】
2011131545.tif 000003
【図２】
2011131545.tif 000004
【図３】
2011131545.tif 000005
【図４】
2011131545.tif 000006
【図５】
2011131545.tif 000007
【図６】
2011131545.tif 000008